(57)【特許請求の範囲】
【請求項１】
磁気記録媒体に向かって延びる垂直平板部、及びこの垂直平板部から前記磁気記録媒体に沿って延びる水平平板部を先端に有するロードビームと、前記水平平板部に固定されるフレキシャと、背面が前記フレキシャに固定されるスライダとを備え、前記垂直平板部下方に形成されたピボット部を前記スライダの背面または前記背面に固定された前記フレキシャの当接点に当接させると共に、前記フレキシャにストッパを設け、このストッパを前記垂直平板部に沿って立ち上げ、前記当接点またはその近傍で、前記ストッパの爪部が前記ロードビームの前記垂直平板部または前記水平平板部に近接して対向し、前記スライダに垂直方向の衝撃が加わった時、前記ストッパの前記爪部が前記垂直平板部または前記水平平板部に当接して、前記スライダの垂直方向の動きを規制することを特徴とする磁気ヘッド装置。
【請求項２】
前記ストッパの前記爪部は、前記垂直平板部の透孔に挿入されて、前記スライダに垂直方向の衝撃が加わった時、前記ストッパの前記爪部が前記垂直平板部の前記透孔の下縁部に当接して、前記スライダの垂直方向の動きを規制するようにしたことを特徴とする請求項１記載の磁気ヘッド装置。
【請求項３】
前記ストッパの前記爪部は、前記水平平板部の透孔に挿入されて、前記スライダに垂直方向の衝撃が加わった時、前記ストッパの前記爪部が前記水平平板部の上面に当接して、前記スライダの垂直方向の動きを規制するようにしたことを特徴とする請求項１記載の磁気ヘッド装置。
【請求項４】
前記ストッパの前記爪部は、前記スライダの幅方向で前記ピボット部を挟むように前記垂直平板を抱持し、前記スライダに垂直方向の衝撃が加わった時、前記ストッパの前記爪部の下縁部が前記水平平板部の上面に当接して、前記スライダの垂直方向の動きを規制するようにしたことを特徴とする請求項１記載の磁気ヘッド装置。
【請求項５】
前記ストッパは、前記フレキシャの一部を折り曲げて形成されていることを特徴とする請求項１から４の何れかに記載の磁気ヘッド装置。
【請求項６】
前記スライダの垂直方向の変位は、前記ストッパの前記爪部が挿入される前記垂直平板部の前記透孔の内縁と前記爪部との距離によって制限されることを特徴とする請求項２記載の磁気ヘッド装置。
【請求項７】
前記スライダの垂直方向の変位は、前記ストッパの前記爪部の下縁部とこの下縁部が近接して対向する前記水平平板部の上面との距離によって制限されることを特徴とする請求項３または４記載の磁気ヘッド装置。
【発明の詳細な説明】
【０００１】
【発明の属する技術分野】
本発明は、光磁気記録に好適な浮上式の磁気ヘッド装置に係り、特に、耐衝撃性を向上させた磁気ヘッド装置に関する。
【０００２】
【従来の技術】
本発明の従来技術の磁気ヘッド装置を図１４から図１９に基づいて説明する。図１４は、従来技術の磁気ヘッド装置を示す側面図、図１５は当該磁気ヘッド装置を示す平面図、図１６は当該磁気ヘッド装置を示す正面図、図１７図は当該磁気ヘッド装置のフレキシャの斜視図、図１８、図１９は、当該磁気ヘッド装置の衝撃試験後の状態を示す図である。
【０００３】
従来技術の磁気ヘッド装置は、ロードビーム５０、フレキシャ５１、スライダ５２から概略構成されている。
ロードビーム５０は、その幅方向両端に折り曲げ部５０ａを有し、ロードビーム５０の剛性を高めている。ロ−ドビーム５０の先端は垂直平板部５０ｂとこの垂直平板部５０ｂの一端から水平に折り曲げられる水平平板部５０ｃとからなり、垂直平板部５０ｂの下端にはピボット部５０ｄが設けられ、水平平板部５０ｃの先端には、フレキシャ５１との接合のための位置合わせ孔５０ｅが設けられている。水平平板部５０ｃとフレキシャ５１は、接着剤５０ｉによって固着されている。水平平板部５０ｃの長手方向略中央部には、後述するフレキシャ５１の第１のフック部５１ｃと水平平板部５０ｃを係合するための係合部（透孔）５０ｆが設けられている。ロードビーム５０の両折り曲げ部５０ａ，５０ａの間には下方に折り曲げられた曲げ下ろし部５０ｇと、曲げ下ろし部５０ｇの先端から折り曲げられて水平に延び、後述するフレキシャ５１の第２のフック部５１ｄの透孔５１ｆと係合する係合部５０ｈが設けられている。
【０００４】
フレキシャ５１は、図１７に示すように、薄い板バネからプレス成形で形成されたもので、固定部５１ａ、これに続く橋絡部５１ｇ、舌片５１ｂ、舌片５１ｂの両端から立ち上がっている第１のフック部５１ｃ、及び第２のフック部５１ｄとからなっている。２つの橋絡部５１ｇはその間に舌片５１ｂを挟むように延び、橋絡部５１ｇが固定部５１ａとつながっている端部とは反対側の端部で、舌片５１ｂの一端と接続部５１ｈにおいてつながっている。第１のフック部５１ｃはロードビーム５０の係合部５０ｆと係合し、第２のフック部５１ｄの透孔５１ｆはロードビーム５０の係合部５０ｈと係合するようになっている。フレキシャ５１の固定部５１ａはロードビーム５０の水平平板部５０ｃの先端と、それぞれの位置合わせ孔５０ｅ、５１ｅ及び爪部５１ｆを用いて位置合わせした後、接着剤５０ｉによって互いに固着されている。舌片５１ｂはその下面側が、後述するスライダ５２のバックプレート５２ａの上面と接着剤などの手段により固着されている。ロードビーム５０のピボット部５０ｄは、舌片５１ｂの上面側でスライダ５２の重心Ｐを通る垂直線が、舌片５１ｂの上面と略交叉する位置で当接している。
【０００５】
スライダ５２はスライダ部５２ａとバックプレート５２ｂからなり、スライダ部５２ａの下面に情報書き込み部（図示せず）を備えている。スライダ５２の下面は磁気記録媒体（図示せず）の上に浮上し、磁気記録媒体と対向し、スライダ部５２ａに備えられた情報書き込み部により情報を書き込まれるようになっている。スライダ５２は、磁気記録媒体の回転に伴う空気の流れによって磁気記録媒体上に浮上するが、フレキシャ５１の弾性により、ピボット部５０ｄの頂点がスライダ５２の背面側に当接し、ここを支点として浮上姿勢を自由にローリング方向あるいはピッチング方向に変えることができるようになっている。
【０００６】
そして従来技術の磁気ヘッド装置は、磁気ヘッド装置に通常使用時の小さな衝撃が加わった場合に、スライダ５２の姿勢が大きく変化しないように、第１のフック部５１ｃ、第２のフック部５１ｄが係合部５０ｆ、５０ｈに係合し、過剰な姿勢の変化を制限するようになっている。
【０００７】
【発明が解決しようとする課題】
しかしながら、上記した従来技術の磁気ヘッド装置では、更に大きな衝撃、例えば、磁気ヘッド装置が内蔵されたドライブ装置（図示せず）が机上から床に落下して衝撃が加わった場合、特に、スライダ５２の重心Ｐに衝撃による加重Ｇ（図１４参照）が垂直方向下方に加わった場合、第１のフック部５１ｃ、第２のフック部５１ｄと係合部５０ｆ、５０ｈとの係合位置が、スライダ５２の重心Ｐから遠く離れ、スライダ５２の側縁よりも更に離れた位置にあるため、上記係合位置に大きな回転モーメントがかかる。その結果、図１８、図１９に示すように、第１のフック部５１ｃ、第２のフック部５１ｄが係合部５０ｆ、５１ｄを強い力で垂直方向下方へ引っ張るため、係合部５０ｆが設けられた水平平板部５０ｃと係合部５０ｈが下方へ撓んで変形してしまう。その結果、図１８に示すように衝撃試験後、係合部５０ｈと、係合部５０ｆが設けられた水平平板部５０ｃとが、衝撃によって、外れはしないが、変形して、下方へ曲がることにより係合位置が下がり、ピボット部５０ｄがスライダ５２の背面から離れる。または、図１９に示すように係合部５０ｈとフック部５１ｄとの係合が衝撃により外れる場合は、ピボット部５０ｄもスライダ５２の背面から大きく離れる状態になってしまう。このような状態では、スライダ５２がフレキシャ５１の弾性により、ピボット部５０ｄの頂点を支点として、姿勢を自由に変えるということができなくなってしまうという問題があった。
【０００８】
本発明の目的は、強い衝撃や外力が加わっても、ピボット部がスライダから離れることがなく、耐衝撃性のよい信頼性のある磁気ヘッド装置を提供することにある。
【０００９】
上記課題を解決するため、本発明の磁気ヘッド装置は、磁気記録媒体に向かって延びる垂直平板部、及びこの垂直平板部から前記磁気記録媒体に沿って延びる水平平板部を先端に有するロードビームと、前記水平平板部に固定されるフレキシャと、背面が前記フレキシャに固定されるスライダとを備え、前記垂直平板部下方に形成されたピボット部を前記スライダの背面または前記背面に固定された前記フレキシャの当接点に当接させると共に、前記フレキシャにストッパを設け、このストッパを前記垂直平板部に沿って立ち上げ、前記当接点またはその近傍で、前記ストッパの爪部が前記ロードビームの前記垂直平板部または前記水平平板部に近接して対向し、前記スライダに垂直方向の衝撃が加わった時、前記ストッパの前記爪部が前記垂直平板部または前記水平平板部に当接して、前記スライダの垂直方向の動きを規制する構成とした。
この構成によれば、衝撃によりスライダに加重がかかる時、スライダの重心にかかる力の力線上に略ストッパの爪部と垂直平板部または水平平板部とが当接する点があり、スライダの重心にかかる力が、ストッパを介して垂直平板部または水平平板部に作用し、上記当接する点において垂直平板部または水平平板部からの反作用で相殺されるので、スライダに垂直下方に強い衝撃が加わってもピボット部がスライダから離れることはなく、耐衝撃性のよい信頼性の高い磁気ヘッド装置を提供できる。
【００１０】
また、本発明の磁気ヘッド装置では、前記ストッパの前記爪部は、前記垂直平板部の透孔に挿入されて、前記スライダに垂直方向の衝撃が加わった時、前記ストッパの前記爪部が前記垂直平板部の前記透孔の下縁部に当接して、前記スライダの垂直方向の動きを規制するようにした構成にした。
この構成によれば、ストッパの爪部が垂直平板部に設けられた透孔の縁部に当接するだけで衝撃を受け止めるので、簡単な構造で耐衝撃性のよい信頼性の高い磁気ヘッド装置を提供できる。
【００１１】
また、本発明の磁気ヘッド装置では、前記ストッパの前記爪部は、前記水平平板部の透孔に挿入されて、前記スライダに垂直方向の衝撃が加わった時、前記ストッパの前記爪部が前記水平平板部の上面に当接して、前記スライダの垂直方向の動きを規制するようにした構成にした。
この構成によれば、透孔から上に出ているストッパの爪部が透孔の周囲の水平平板部に当接するだけで衝撃を受け止めるので、簡単な構造で耐衝撃性のよい信頼性の高い磁気ヘッド装置を提供できる。
【００１２】
また、本発明の磁気ヘッド装置では、前記ストッパの前記爪部は、前記スライダの幅方向で前記ピボット部を挟むように前記垂直平板を抱持し、前記スライダに垂直方向の衝撃が加わった時、前記ストッパの前記爪部の下縁部が前記水平平板部の上面に当接して、前記スライダの垂直方向の動きを規制するようにした構成にした。
この構成によれば、ストッパの爪部の下縁部が水平平板部と近接し、かつ垂直平板部を抱持しているので、スライダに対する垂直下方の衝撃を抑えるだけでなく、水平方向の衝撃に対しても強い構造となる。
【００１３】
また、本発明の磁気ヘッド装置では、前記ストッパは、前記フレキシャの一部を折り曲げて形成される構成にした。
この構成によれば、フレキシャの一部を折り曲げてストッパを作り、別部品を加えずにストッパを作ることができるので、別体のストッパを取り付けるのに比較して部品点数が減り組み立てが行い易い。
【００１４】
また、本発明の磁気ヘッド装置では、前記スライダの垂直方向の変位は、前記ストッパの前記爪部が挿入される前記垂直平板部の前記透孔の内縁と前記爪部との距離によって制限される構成にした。
この構成によれば、ストッパの爪部が挿入される垂直平板部の透孔の垂直方向または、水平方向の寸法を変えるだけで、スライダの変位の制限を容易に変更することができる。
【００１５】
また、本発明の磁気ヘッド装置では、前記スライダの垂直方向の変位は、前記ストッパの前記爪部の下縁部とこの下縁部が近接して対向する前記水平平板部の上面との距離によって制限される構成にした。
この構成によれば、ストッパの爪部の下縁部と水平平板部との距離を変えるだけで、スライダの変位の制限を容易に変更することができる。
【００１６】
【発明の実施の形態】
本発明の第１実施形態の磁気ヘッド装置を図１から図４に基づいて説明する。
図１は、当該磁気ヘッド装置の側面図、図２は、当該磁気ヘッド装置の平面図、
図３は、当該磁気ヘッド装置の正面図、図４は、フレキシャ２の斜視図である。
【００１７】
第１実施形態の磁気ヘッド装置は、ロードビーム１とフレキシャ２とスライダ３から概略構成されている。
【００１８】
ロードビーム１は、ステンレス等の薄板をプレス成形により加工し一体に形成したもので、本体部１ａ、折り曲げ部１ａ’、垂直平板部１ｂ、水平平板部１ｃ、ピボット部１ｄ、規制部１ｇから構成されている。本体部１ａは折り曲げ部１ａ’をその幅方向両端に有し、本体部１ａの長手方向の剛性を高めている。ロ−ドビーム１の先端は本体部１ａの先端から下方に折り曲げた垂直平板部１ｂとこの垂直平板部１ｂの下端から水平に折り曲げた水平平板部１ｃとからなり、垂直平板部１ｂの下端にはピボット部１ｄが設けられ、水平平板部１ｃの先端にはフレキシャ２との接合のための位置合わせ孔１ｅが設けられている。位置合わせ孔１ｅの周辺において、水平平板部１ｃと後述するフレキシャ２の固定部２ａが接着剤１ｆによって固着され、ロードビーム１とフレキシャ２が接合されている。垂直平板部１ｂの中央部には細長の透孔１ｂ’が形成されている。本体部１ａの幅方向中央部からは、打ち抜きにより下方に向けて規制部１ｇが延出され、先端はＬ型に曲がって先端部１ｇ’を形成している。
【００１９】
フレキシャ２は、バネ材の薄板をプレス成形により加工し一体に形成したものであり、図４に示すように、固定部２ａ、橋絡部２ｂ、接続部２ｃ、舌片２ｄ及びストッパ２ｅとが構成されている。固定部２ａは、ロードビーム１の水平平板部１ｃとフレキシャ２とを互いに固定する部分である。接続部２ｃは、橋絡部２ｂと舌片２ｄとを接続する部分である。橋絡部２ｂは、固定部２aと接続部２ｃをつなぐ部分である。舌片２ｄは、２つの橋絡部２ｂの間に位置し、舌片２ｄからはストッパ２ｅが立ち上がっている。ストッパ２ｅは、立ち上がり部２ｅ’と立ち上がり部２ｅ’からＬ字状に折り曲げられた爪部２ｅ’’からなっている。固定部２ａにはロードビーム１の水平平板部１ｃと接合するときの位置合わせ孔２ｆが設けられており、固定部２ａの周囲にはガイド爪２ｇが４個設けられている。
【００２０】
スライダ３はスライダ部３ａ、バックプレート３ｂ、磁気コア３ｃ、情報書き込み用コイル３ｄとから構成されている。スライダ部３ａは、磁気記録媒体（図示せず）と略平行に対向し、磁気記録媒体の回転に伴う空気の流れによって磁気記録媒体上に浮上させる部分であり、バックプレート３ｂは、バックコアとして機能するもので、情報書き込み用コイル３ｄは、情報信号を受けて磁力線を発生するものである。磁気コア３ｃは、情報書き込み用コイル３ｄに発生した磁力線を、バックプレート３ｂと共同して磁気ループを形成させるためのものである。上記磁気ループはスライダ３の下面に導出されて、スライダ３の下面と略平行に対向する磁気記録媒体（図示せず）に情報を記録する。
【００２１】
以上の部品構成により、第１実施形態の磁気ヘッド装置が構成されている。
次に、当該磁気ヘッド装置の組立方法を説明する。フレキシャ２の舌片２ｄの下面には、スライダ３が予め固定され、スライダ３が固定されたフレキシャ２の固定部２ａの位置合わせ孔２ｆとロードビーム１の水平平板部１ｃの位置合わせ孔１ｅとを用いて位置合わせし、接着剤１ｆをガイド爪２ｇにかかるように塗布することで、ロードビーム１とフレキシャ２を接合する。このときストッパ２ｅの爪部２ｅ’’は、ロードビーム１の垂直平板部１ｂに設けられた透孔１ｂ’に挿入されてから、ロードビーム１の水平平板部１ｃとフレキシャ２の固定部２ａとは、接合のために位置合わせされる。ロードビーム１とフレキシャ２が接合されると、ロードビーム１の垂直平板部１ｂの下端に設けられたピボット部１ｄは、スライダ３のバックプレート３ｂの背面側の当接点を直接押圧する。ピボット部１ｄの頂点がスライダ３と当接する点は、スライダ３の重心を通る垂直線がスライダ３の背面と交叉する点にほぼ一致する。スライダ３は、磁気記録媒体の回転に伴う空気の流れによって磁気記録媒体の表面上で浮上し、フレキシャ２の弾性により、ピボット部１ｄの頂点を支点として、姿勢をローリング方向またはピッチング方向に自由に変えることができるようになっている。しかし、あまりスライダ３の傾きが大きくなると、スライダ３が磁気記録媒体に近寄り過ぎて磁気記録媒体にクラッシュする等の弊害が発生する。これを防ぐために、ロードビーム１の本体部１ａから下方に向けて延出された規制部１ｇのＬ字状に曲げられた先端部１ｇ’が、スライダ３の背面に固定されたフレキシャ２と、スライダ３の一端部近傍でほとんど接触するくらいに近接している。これにより、スライダ３の浮上姿勢のローリング方向またはピッチング方向の過剰な傾きを規制することができる。
【００２２】
第１実施形態の磁気ヘッド装置が内蔵されたドライブ装置が、机上から床に落下したような場合、特に、本実施形態の磁気ヘッド装置に対し垂直方向下方に大きな衝撃がかかった場合、スライダ３はフレキシャ２に弾性があるため、急激に垂直方向下方に動いて、ピボット１ｄがスライダ３の背面側から離れようとする。しかし、フレキシャ２から立ち上がっているストッパ２ｅの先端のＬ字状に折り曲げられた爪部２ｅ’’が、ロードビーム１の垂直平板部１ｂに設けられた透孔１ｂ’（ピボット部１ｄとスライダ３との当接点の真上にある）に挿入されているので、爪部２ｅ’’の下端縁と透孔１ｂ’の下端縁との間は所定距離離れているが、スライダ３に垂直方向下方の加重がかかると、ストッパ２ｅの爪部２ｅ’’は垂直方向下方に動いて透孔１ｂ’の下端縁に当接する。
従って、上記所定距離で、スライダ３が垂直方向下方に動く距離を制限することができ、衝撃がかかった時に磁気記録媒体に衝突しないようにすることができる。また、上記所定距離を変えるという簡単な方法で、スライダ３の変位制限量を変更することもできる。また、ストッパ２ｅは、スライダ３の重心を通る垂直線がスライダ３の背面と交叉する点から、ロードビーム１の垂直平板部１ｂに沿って立ち上がっているので、スライダ３の重心にかかった加重は、ストッパ２ｅの爪部２ｅ’’の透孔１ｂ’の下端縁への係合で相殺され、回転モーメントを生じない。これにより、ロ−ドビーム１の先端、及びフレキシャ２の変形を抑制でき、かつ、ピボット部１ｄがスライダ３の背面から離れることがない。また、磁気ヘッド装置に衝撃がかかった後の使用時に、規制部１ｇの機能が発揮されスライダ３の浮上姿勢の過剰な変化を制限することができる。従って、衝撃時スライダ３が磁気記録媒体に衝突することがなく、磁気記録媒体を傷つけることもない。以上により、衝撃時も、その後の磁気ヘッド装置の使用時にもスライダ３が磁気記録媒体を傷つけるおそれがなくなる。
上記第１実施形態の説明では、衝撃によって、スライダ３に対して垂直方向下方に加重がかかった場合を説明したが、スライダ３に対して垂直方向上方に加重がかかる場合や、水平方向に加重がかかる場合でも、スライダ３に設けられたストッパ２ｅの爪部２ｅ’’はスライダ３と一体に動き、よって爪部２ｅ’’はこれが挿入された透孔１ｂ’の内縁に当接して、スライダ３の動きを制限する。
【００２３】
次に本発明の第２実施形態の磁気ヘッド装置について、図５から図８に基づいて説明する。図５は当該磁気ヘッド装置の側面図、図６は、当該磁気ヘッド装置の平面図、図７は、当該磁気ヘッド装置の正面図、図８は、フレキシャ１２の斜視図である。第２実施形態の説明中、第１実施形態と同様な部分については説明を省略する。
【００２４】
第２実施形態の磁気ヘッド装置は、ロードビーム１１とフレキシャ１２とスライダ１３から概略構成されている。
【００２５】
ロードビーム１１は、ステンレス等の薄板をプレス成形により加工し、一体に形成したもので、本体部１１ａ、折り曲げ部１１ａ’、垂直平板部１１ｂ、水平平板部１１ｃ、ピボット部１１ｄ、曲げ下ろし部１１ｈ、係合部１１ｉから構成されている。水平平板部１１ｃには透孔１１ｇが形成されている。本体部１１ａからは下方に向けて曲げ下ろし部１１ｈが延出され、その先端には係合部１１ｉが水平に延出している。
【００２６】
フレキシャ１２は、バネ材の薄板をプレス成形により加工し、一体に形成したものであり、図８に示すように、固定部１２ａ、ガイド爪１２ｉ、橋絡部１２ｂ、接続部１２ｃ、舌片１２ｄ、ストッパ１２ｅ、及びフック部１２ｆから構成されている。固定部１２ａには、ロードビーム１１との接合のための位置合わせ孔１２ｈが設けられている。舌片１２ｄは、２つの橋絡部１２ｂの間に位置し、舌片１２ｄからはストッパ１２ｅが立ち上がっている。ストッパ１２ｅは、立ち上がり部１２ｅ’と立ち上がり部１２ｅ’の上端を水平方向へ延出した爪部１２ｅ’’からなっている。
【００２７】
スライダ１３は、スライダ部１３ａ、バックプレート１３ｂ、磁気コア１３ｃ、情報書き込み用コイル１３ｄとから構成されている。
【００２８】
以上の部品構成により、第２実施形態の磁気ヘッド装置が構成されている。次に、当該磁気ヘッド装置の組立方法を説明する。
フレキシャ１２の舌片１２ｄの下面にはスライダ１３が予め固定され、スライダ１３が固定されたフレキシャ１２の固定部１２ａの位置合わせ孔１２ｈとロードビーム１１の水平平板部１１ｃの位置合わせ孔１１ｅとを用いてフレキシャ１２と水平平板部１１ｃとを位置合わせし、接着剤１１ｆをガイド爪１２ｉにかかるように塗布することで、ロードビーム１１とフレキシャ１２を接合する。このときストッパ１２ｅの爪部１２ｅ’’は、ロードビーム１１の水平平板部１１ｃに設けられた透孔１１ｇに挿入してから、水平平板部１１ｃとフレキシャ１２の固定部１２ａとを接合する。
【００２９】
ロードビーム１１とフレキシャ１２が接合されると、ロードビーム１１の垂直平板部１１ｂの下端に設けられたピボット部１１ｄは、スライダ１３のバックプレート１３ｂの背面側に固定されている舌片１２ｄを、ストッパ１２ｅが立ち上がっている位置近傍の当接点で押圧する。また、スライダ１３が磁気記録媒体に近寄り過ぎて磁気記録媒体にクラッシュする等の弊害を防止するために、スライダ１３の浮上姿勢を規制する係合部１１ｉが、ロードビーム１の曲げ下ろし部１１ｈの先端に設けられ、係合部１１ｉがフレキシャ１２のフック部１２ｆに設けられた細長い透孔１２ｇに挿入されている。
【００３０】
第２実施形態の磁気ヘッド装置に対し、垂直下方に大きな衝撃がかかった場合、スライダ１３はフレキシャ１２に弾性があるため垂直下方に動いてピボット１１ｄがスライダ１３の背面側から離れようとする。しかし、フレキシャ１２から立ち上がっているストッパ１２ｅの爪部１２ｅ’’がロードビーム１１の水平平板部１１ｃに設けられた透孔１１ｇに挿入され、爪部１２ｅ’’の下端縁が水平平板部１１ｃと近接して対向しているため、爪部１２ｅ’’の下端縁が水平平板部１１ｃの上面に当接し、それ以上スライダ１３が垂直方向下方に動くのを制限する。ストッパ１２ｅはスライダ１３の重心を通る垂直線がスライダ１３の背面と交叉する点の近傍からロードビーム１１の垂直平板部１１ｂに沿って立ち上がっているので、スライダ１３の重心にかかった加重は、ストッパ１２ｅの爪部１２ｅ’’の下端縁が水平平板部１１ｃ上面に当接することにより相殺される。
ストッパ１２ｅが垂直平板部１１ｂに沿って立ち上がる位置は、スライダ１３の周縁内であれば、回転モーメントが小さく、スライダ１３に衝撃が加わったときにも、フレキシャ１２やロードビーム１１が変形してピボット部がスライダ１３の背面より離れることはない。更に、好ましくは、ストッパ１２ｅが垂直平板部１１ｂに沿って立ち上がる位置が、スライダ１３の重心を通る垂直線がスライダ１３の背面と交叉する点に近ければ近いほど、衝撃が加わったときの回転モーメントが小さく、上記した作用効果は大きい。
【００３１】
以上の構造により、衝撃時、ロ−ドビーム１１先端とフレキシャ１２の変形は抑制でき、かつピボット部１１ｄがスライダ１３の背面から離れることがない。その結果、スライダ１３の浮上姿勢の過剰な変化を抑えることができる。即ち、磁気ヘッド装置が大きな衝撃を受けたときスライダ１３が磁気記録媒体に衝突しこれを傷つけることがなく、また、衝撃を受けた後、フレキシャの変形が小さく、フック部１２ｆ、係合部１１ｉの機能が発揮されるのでスライダ１３の浮上姿勢の過剰な変化を抑えることができ磁気記録媒体を傷つけるおそれもない。
【００３２】
次に、本発明の第３実施形態の磁気ヘッド装置を図９から図１３に基づいて説明する。図９は、当該磁気ヘッド装置の側面図、図１０は、当該磁気ヘッド装置の平面図、図１１は、当該磁気ヘッド装置の正面図、図１２は、フレキシャの斜視図、図１３はストッパの斜視図である。第３実施形態の説明中、第１実施形態、第２実施形態と同様な部分は説明を省略する。
【００３３】
第３実施形態の磁気ヘッド装置は、ロードビーム２１とフレキシャ２２とスライダ２３とストッパ２４から概略構成されている。
【００３４】
ロードビーム２１は、ステンレス等の薄板をプレス成形により加工し一体に形成したもので、本体部２１ａ、折り曲げ部２１ａ’、垂直平板部２１ｂ、水平平板部２１ｃ、ピボット部２１ｄ、曲げ下ろし部２１ｅ、係合部２１ｆから構成されている。
【００３５】
フレキシャ２２は、バネ材の薄板をプレス成形により加工し一体に形成したものであり、図１２に示すように、固定部２２ａ、ガイド爪２２ｈ、橋絡部２２ｂ、接続部２２ｃ、舌片２２ｄ、フック部２２ｆ，２２ｇとから構成されている。固定部２２ａにはロードビーム２１の水平平板部２１ｃと接合するときの位置合わせ孔２２ｉが設けられており、固定部２２ａの周囲には、ガイド爪２２ｈが４個設けられている。また、フック部２２ｇには、長方形の透孔２２ｊが中央部に形成されている。
【００３６】
スライダ２３は、スライダ部２３ａ、バックプレート２３ｂ、磁気コア２３ｃ、情報書き込み用コイル２３ｄとから構成されている。
【００３７】
ストッパ２４は、一枚の金属板を折り曲げて、基部２４ａ、立ち上がり部２４ｂ、爪部２４ｃとから一体に構成されている。
【００３８】
上記の部品構成により、第３実施形態の磁気ヘッド装置が構成されている。当該磁気ヘッド祖位置の組立方法は、フレキシャ２２の舌片２２ｄの下面にスライダ２３を予め接着剤などで固定する。次にフレキシャ２２の舌片２２ｄの上面にストッパ２４の基部２４ａを接着剤などの手段で固定する。次にスライダ２３とストッパ２４とが固定されたフレキシャ２２とロードビーム２１とを接合する。  この接合の準備として、予めフレキシャ２２のフック部２２ｆを水平平板部２１ｃの切欠２１ｃ’に係合させ、かつフック部２２ｇの細長の透孔２２ｊにロードビーム２１の係合部２１ｆを挿入する。その後で、フレキシャ２２の固定部２２ａとロードビーム２１の水平平板部２１ｃの端部とを、位置合わせ孔２１ｇ、２２ｉとガイド爪２２ｈを用いて位置合わせし、接着剤２１ｈをガイド爪２２ｈにかかるように塗布して、ロードビーム２１とフレキシャ２２とを接合する。次に立ち上げ部２４ｂと同一平面内にあったストッパ３４の爪部２４ｃを、垂直平板部２１ｂに対して隙間を保って抱持するように折り曲げ、ストッパ２４を垂直平板部２１ｂに対して上下動可能に設ける。
【００３９】
上記した組立により、ロードビーム２１とフレキシャ２２が接合されるとロードビーム２１の垂直平板部２１ｂの下端に設けられたピボット部２１ｄはスライダ２３のバックプレート２３ｂの背面側の当接点を舌片２２ｄを介して押圧する。ピボット部２１ｄの頂点が舌片２２ｄと当接する点は、スライダ２３の重心を通る垂直線が舌片２２ｄと交叉する点にほぼ一致する。スライダ２３は、磁気記録媒体の回転に伴う空気の流れによって、磁気記録媒体の表面上で浮上し、フレキシャ２２の弾性により、ピボット部２１ｄの頂点を支点として姿勢をローリング方向またはピッチング方向に自由に変えることができるようになっている。しかし、あまりスライダ２３の傾きが大きくなると、スライダ２３が磁気記録媒体に近寄りすぎて磁気記録媒体にクラッシュする等の弊害が発生する。これを防ぐために、ロードビーム２１の本体部２１ａから、下方に向けて延出した曲げ下ろし部２１ｅの先端を水平方向に折り曲げた係合部２１ｆと、フレキシャ２２から上方に折り曲げられたフック部２２ｇの透孔２２ｊを係合させ、更に、ロードビーム２１の水平平板部２１ｃの切欠２１ｃ’に、フレキシャ２２から上方に折り曲げられたフック部２２ｆを係合させ、スライダ２３の過剰な傾きを制限している。
【００４０】
第３実施形態の磁気ヘッド装置に対し、垂直下方に大きな衝撃がかかった場合、スライダ２３はフレキシャ２２に弾性があるため、垂直下方に動いてピボット２１ｄがスライダ２３の背面側から離れようとする。しかしストッパ２４の爪部２４ｃはロードビーム２１の垂直平板部２１ｂを抱持するように設けられていて、爪部２４ｃの下端縁はロードビーム２１の水平平板部２１ｃと近接して対向しているため、爪部２４ｃの下端縁は水平平板部２１ｃの上面と当接して、それ以上スライダ２３が垂直方向下方に動くのを制限する。また、ストッパ２４の爪部２４ｃは垂直平板部２１ｂを抱持しているのでスライダ２３に水平方向の力がかかっても、爪部２４ｃが水平方向に動いて垂直平板部に当接し、スライダ２３の動きは制限される。爪部２４ｃと水平平板部２１ｃとが当接する位置は、ピボット部２１ｄの頂点がスライダ２３の背面に固定された舌片２２ｄと当接する点の上方である。即ちスライダ２３の重心を通る垂直線に沿った位置である。従って、本実施形態の磁気ヘッドに垂直下方に大きな衝撃が加わった場合、スライダ２３の重心にかかる加重は、爪部２４ｃと水平平板部２１ｃの係合部で相殺され、スライダ２３の回転モーメントをほとんど生じない。これにより、スライダ２３が磁気記録媒体に衝突することがなく、また、ロ−ドビーム２１先端とフレキシャ２２の変形を抑制できるので、ピボット部２１ｄがスライダ２３の背面から離れることがない。また、磁気ヘッド装置に衝撃が加わった後の使用時に、フック部２２ｆ、２２ｇ、係合部２１ｆ、切欠２１ｃ’の上記した機能が発揮され、スライダ２３の浮上姿勢の過剰な変化を制限することができる。以上により、衝撃時も、その後の磁気ヘッド装置の使用時にも、スライダ２３が衝突して磁気記録媒体を傷つけるおそれがなくなる。
【００４１】
また、上記第３実施形態においては、ストッパ２４はフレキシャ２２とは別部品であることが記載されているが、本発明はこれに限定されることなく、ストッパはフレキシャの一部を使って形成しても良い。
【００４２】
なお、上記各実施形態においては、ピボット部が頂点のある凸状の形状を備えてロードビームに設けられており、平面部であるスライダの背面またはスライダ背面に固定されたフレキシャに当接しているように記載されているが、本発明はこれに限定されることはなく、スライダ背面またはフレキシャの舌片に凸状部を設けロードビームに設けた平面部と当接させても良い。
【００４３】
【発明の効果】
上記したように本発明の磁気ヘッド装置は、磁気記録媒体に向かって延びる垂直平板部、及びこの垂直平板部から磁気記録媒体に沿って延びる水平平板部を先端に有するロードビームと、水平平板部に固定されるフレキシャと、背面がフレキシャに固定されるスライダとを備え、垂直平板部下方に形成されたピボット部をスライダの背面または背面に固定されたフレキシャの当接点に当接させると共に、フレキシャにストッパを設け、このストッパを垂直平板部に沿って立ち上げ、当接点またはその近傍で、ストッパの爪部がロ−ドビームの垂直平板部または水平平板部に近接して対向し、スライダの動きを制限する構成とした。
この構成によれば、衝撃によりスライダに加重がかかる時、スライダの重心にかかる力の力線上に略ストッパの爪部と垂直平板部または水平平板部とが当接する点があり、スライダの重心にかかる力が、ストッパを介して垂直平板部または水平平板部に作用し、上記当接する点において垂直平板部または水平平板部からの反作用で相殺されるので、スライダに垂直下方に強い衝撃が加わってもピボット部がスライダから離れることはなく、耐衝撃性のよい信頼性の高い磁気ヘッド装置を提供できる。
【図面の簡単な説明】
【図１】本発明の磁気ヘッド装置の第１実施形態を示す側面図である。
【図２】本発明の磁気ヘッド装置の第１実施形態を示す平面図である。
【図３】本発明の磁気ヘッド装置の第１実施形態を示す正面図である。
【図４】本発明の磁気ヘッド装置の第１実施形態のフレキシャの斜視図である。
【図５】本発明の磁気ヘッド装置の第２実施形態を示す側面図である。
【図６】本発明の磁気ヘッド装置の第２実施形態を示す平面図である。
【図７】本発明の磁気ヘッド装置の第２実施形態を示す正面図である。
【図８】本発明の磁気ヘッド装置の第２実施形態のフレキシャの斜視図である。
【図９】本発明の磁気ヘッド装置の第３実施形態を示す側面図である。
【図１０】本発明の磁気ヘッド装置の第３実施形態を示す平面図である。
【図１１】本発明の磁気ヘッド装置の第３実施形態を示す正面図である。
【図１２】本発明の磁気ヘッド装置の第３実施形態のフレキシャを示す斜視図である。
【図１３】本発明の磁気ヘッド装置の第３実施形態のストッパの斜視図である。
【図１４】従来技術の磁気ヘッド装置を示す側面図である。
【図１５】従来技術の磁気ヘッド装置を示す平面図である。
【図１６】従来技術の磁気ヘッド装置を示す正面図である。
【図１７】従来技術の磁気ヘッド装置のフレキシャを示す斜視図である。
【図１８】従来技術の磁気ヘッド装置の衝撃試験後の状態を示す図である。
【図１９】従来技術の磁気ヘッド装置の衝撃試験後の状態を示す図である。
【符号の説明】
１，１１，２１        ロードビーム
２，１２，２２        フレキシャ
３，１３，２３        スライダ
１ｂ，１１ｂ，２１ｂ  垂直平板部
１ｃ，１１ｃ，２１ｃ  水平平板部
１ｄ，１１ｄ，２１ｄ  ピボット部
２ｅ，１２ｅ，２４    ストッパ
２ｅ’’，１２ｅ’’，２４ｃ  爪部
【図１】
0003681330.tif 000002
【図２】
0003681330.tif 000003
【図３】
0003681330.tif 000004
【図４】
0003681330.tif 000005
【図５】
0003681330.tif 000006
【図６】
0003681330.tif 000007
【図７】
0003681330.tif 000008
【図８】
0003681330.tif 000009
【図９】
0003681330.tif 000010
【図１０】
0003681330.tif 000011
【図１１】
0003681330.tif 000012
【図１２】
0003681330.tif 000013
【図１３】
0003681330.tif 000014
【図１４】
0003681330.tif 000015
【図１５】
0003681330.tif 000016
【図１６】
0003681330.tif 000017
【図１７】
0003681330.tif 000018
【図１８】
0003681330.tif 000019
【図１９】
0003681330.tif 000020